(57)【特許請求の範囲】
【請求項１】
電流が連通される押鍼鍼灸を備え、
押鍼鍼灸及び前記押鍼鍼灸を固定して他の押鍼に連結及び粘着する導電性医療用テープ
で構成される押鍼であって、
前記導電性医療用テープは導電性粘着剤と粘性ゴム布で作製され、前記粘性ゴム布は、導電性の粘性ゴム布であり、前記押鍼鍼灸は前記押鍼鍼灸を固定して他の押鍼に連結及び粘着する導電性医療用テープに固定され、
前記導電性医療用テープは、導電性粘着連結面または外部導体連結点を搭載し、隣接する導電性医療用テープの導電性粘着連結面または外部導体連結点を相互粘着させることにより、複数の押鍼を連結させることができるように構成され、
上記隣接する導電性医療用テープは、距離に因って相互粘着できない場合、連結用導電性医療用テープを介して、上記複数の押鍼を連結させることができるように構成され、
前記導電性粘着連結面または外部導体連結点を介して他の治療設備と連結可能である、
ことを特徴とする押鍼。
【発明の詳細な説明】
【技術分野】
【０００１】
本発明は医療機器の分野に関し、より詳細には中国漢方医学鍼灸機器のうち押鍼に関する。
【背景技術】
【０００２】
従来、公知されていた押鍼は金属ワイヤ（一般的にステンレス鋼ワイヤ）を巻き付けて（割りと小さい）画鋲状にしたものであって、これが持つ鍼術電気化学、経穴作用（特許文献１＜電気化学的毫鍼及び皮内鍼のマルチヘッド表面特性差異装置＞）が、中国漢方医学鍼灸保健などの範囲の経穴治療に応用される。押鍼鍼灸が割りと小さいため、その直接的な電気化学作用及び範囲が前記押鍼一本の割りと小さい電気化学作用範囲に制限される。たとえ（特許文献２＜押鍼電気化学プラスター＞）押鍼が固定された軟膏、磁石角度で前記押鍼の電気化学作用範囲を拡大したが、 上記の技術もその直接的な電気化学作用及び範囲が前記押鍼とプラスターの小さい区域の一部に制限される。また、上記のようなプラスターは導電性能が制限的且つ不安定であり、前記小さい区域の一部の押鍼及びプラスターは割りと大きく且つ強いので、望ましい電気化学効果を奏することができない。このような従来技術は、たとえ局所経穴組織に対して直接的な電気化学作用を示すものの、割りと大きい範囲の経絡、五臓六腑などの組織、さらには有機体全体に作用することはできない。たとえ（必要な割りと大きな範囲に）複数の電気化学押鍼及び／または複数の押鍼電気化学プラスターを使用しても、 相互間に電気化学反応を直接生成するのに必要な条件を満たしていないので、相互作用を介して複数の押鍼間に直接形成される割りと大きく且つ割りと強く、割りと望ましい電気化学的、経穴経絡的自然電気化学電流連動作用をすることができず、ここで分かるように複数の押鍼が相互補完される高効率の直接的な連動機能を備え、割りと大きく且つ割りと強く、割りと望ましい自然電気化学電流を高効率的に生産し、大きな区域、大きな範囲で連動して直接経絡を突き、有機体全体を活性化及び調節する電気化学押鍼製品を設計できる技術方案を研究するには創造的な労働が必要である。
【０００３】
また、今まで押鍼は「局所経穴（直接的な電気化学作用）刺激、前記局所経穴（直接的な電気化学作用）刺激を持続させて関連の経絡五臓六腑に影響を及ぼすことによって治療を進める」という伝統的習慣や先入観に制約を受けてきた。つまり、複数の経穴、複数の押鍼埋鍼を高効率的に連動した電気化学鍼術全体の革新的な技術方案が、前述した伝統的習慣と先入観に制約を受けてきた。また、これまで伝統的に押鍼を固定した粘着テープも、前述した伝統的な習慣と先入観に制約を受けてきており、これにより導電機能のない医療用粘着テープを使用してきた（導電性粘着テープは開発して以来、コンピュータ、携帯電話、電線、ケーブルなど各種電子電気製品を高周波伝送時に電磁波または電波の干渉から遮蔽、隔離させる機能のみに限定して使用する）。 ここで、上記のような問題及び欠陥を克服するためには、技術的な先入観を克服する創造的な労働が必要であることが分かる。
【先行技術文献】
【特許文献】
【０００４】
【特許文献１】中国特許番号２００６１００４８９１４．０
【特許文献２】中国特許番号２０１２２０２７３０３５．９
【発明の概要】
【発明が解決しようとする課題】
【０００５】
本発明の目的は、上記の技術的な問題及び先入観の欠陥を克服するために、単一の押鍼を小さい区域の範囲で使用しても、一般的な（伝統的な医療用粘着テープを使用して固定する）押鍼よりも大きな直接的な電気化学作用を起こすだけではなく、大きな区域、大きな範囲に複数の押鍼を使用する場合、それぞれの電気化学効能が及ぶ空間が相互連結されることができ、大きな区域、大きな範囲の複数の押鍼が高効率的に連動して相互補完される電気化学作用を引き起こすようにすることで、経絡を突き、血液循環をスムーズにして凝血を除去し、陰陽全体の調和を成す電気化学効果が、複数の押鍼を個別に使用する場合、現れる局所電気化学効能の単純和よりも遥かに優れるようにするところにある。また、本発明は押鍼の埋鍼期間に臨床電気鍼治療のために、割りと便利な導電性連結の技術方案をさらに提供することができ、これに基づいて安全で便利な技術方案を提供することによって家庭で電気鍼を普遍的に使用することができる。
【０００６】
本発明では、上記の目的を達成するために、以下の技術方案を採用した。つまり、高効率自然電気化学電流が連動される押鍼は、押鍼鍼灸及び前記押鍼鍼灸を固定して他の押鍼に連結及び粘着する導電性医療用テープで構成され、前記導電性医療用テープは導電性粘着剤と粘性ゴム布で作製し、前記押鍼鍼灸は前記押鍼鍼灸を固定して他の押鍼に連結及び粘着する導電性医療用テープに固定し、同時に上記の技術方案は２本以上の押鍼を連結できる連結用導電性医療用テープ及び／または外部導線連結点を別途でさらに搭載することができる。
【０００７】
ここで押鍼鍼灸は、それぞれ他の元素（例えば、カルシウム、マグネシウム、ナトリウム、カリウム、銅、コバルト、クロム、フッ素、鉄、ヨウ素、マンガン、モリブデン、ニッケル、セレン、ケイ素、スズ、バナジウム、亜鉛など）を含有する、１本または１本以上の鍼ヘッドを含む押鍼からそれぞれ選択することにより、有機体の様々な需要による組み合わせの電気化学作用に寄与することができる。
【０００８】
ここで、前記押鍼鍼灸を固定して他の押鍼に連結及び粘着する連結用導電性医療用テープの導電性テープは、導電性能があるだけではなく人体に無害な素材で作製しなければならない。ここで、前記押鍼鍼灸を固定して他の押鍼に連結及び粘着する連結用導電性医療用テープの粘性ゴム布は導電性能のある粘性ゴム布（その他の高効率自然電気化学電流が連動される押鍼とその導電性粘着に便利な条件を提供することができるので、本発明技術の実施に有益である）、導電性能がないか或いは絶縁性能のある粘性ゴム布（実施する電気化学治療区域への治療に有益な障壁を提供する）を選択的に使用することができる。また、前記押鍼鍼灸を固定して他の押鍼に連結及び粘着する連結用導電性医療用テープには、外部導線連結点または導電性粘着連結面をさらに作製することができる（他の高効率自然電気化学電流が連動される押鍼を連結したり、その他にこれと結合して治療する治療設備の電源ケーブルを連結するのに使用する）。
【０００９】
ここで、連結用導電性医療用テープは、導電性能があるだけではなく人体に無害な素材で作製することができ、前記連結用導電性医療用テープに導電連結点または導電連結面をさらに作製することができ（その他に割りと遠距離にある高効率自然電気化学電流が連動される押鍼を連結したり、他の治療設備の電源ケーブルを連結するのに使用する）、連結用導電性医療用テープの人体と接触しない面にも選択的に絶縁層を作製することができ（実施する電気化学治療区域への治療に有益な障壁を提供する）、ここで、１つ以上の外部導線連結点をさらに設けて、一般的に公知された導電性連結の技術方案を採用することができる。
【発明の効果】
【００１０】
本発明は、以下の利点を持つ。
第一に、本発明は複数の押鍼の高効率自然電気化学電流の直接連動の電気化学作用という利点を持っている。１本または１本以上の鍼ヘッドを含む押鍼鍼灸は、その表面に分布する電子密度が不均一で、その鍼ハンドルと導電性医療用テープが皮膚に生成する相応する電気化学作用が加わるので、これに相当する有機体の範囲で直接的な電気化学効能区域を生成するようになる（導電性医療用テープを使用するので、その直接的な電気化学効能は＜押鍼電気化学プラスター＞特許文献２の「２プラスター及び／または磁石」の直接的な電気化学効能よりも安定的で強力且つ高効率的である）。さらに重要なのは、本発明は連続的に複数の前述した独立した（各１本の押鍼の）直接的な電気化学効能区域を全体治療が必要な区域の複数の押鍼の高効率自然電気化学電流が連動されるところに連結して、大きな範囲の直接的な電気化学作用区域を形成することにある（例えば、治療しようとする疾患に必要な大きい区域の帯状、片状の直接的な電気化学作用を形成して大きな範囲に連結及び相互作用するようにできる。また、１つまたは複数の経絡の五臓六腑に直接的な電気化学作用を起こして精気が通じ、上昇するようにするために本発明の技術方案を採用することができる）。本発明の技術方案は、複数の押鍼治療区域が高効率自然電気化学電流直接連動の電気化学効能区域を生成することができる。
【００１１】
第二に、経絡を突き血液の循環をスムーズにして凝血を除去し、陰陽全体の調和を成す本発明の電気化学効果は、複数の押鍼を個別に実施するときに生成される局所電気化学効果の単純和よりも遥かに優れている。たとえ有機体に進入する押鍼電気化学作用が経穴区域の局所毛細血管通気性、血液循環量及び有機体経穴組織、内部環境活性の増加を齎すものの、その作用と効能区域は、最終的に一定の範囲に制限される。複数の押鍼が同一の有機体に作用するとき、それぞれの作用と効能区の制限性及びその相互作用の不連続性、不調和性（例えば、２本の押鍼はそれぞれ有効区域範囲で毛細血管通気性、血液循環量、有機体の経穴組織、内部環境活性調節能力を増加させる。しかし、２本の押鍼間の非有効区域範囲では、毛細血管通気性、血液循環量、有機体経穴組織、内部環境活性調節能力が増加しないだけではなく、 これにより、以前よりも一層大変な作業量が発生したり、或いはこれに耐えなければならので、２本の押鍼間の非有効区域の毛細血管通気性、血液循環量、有機体経穴組織、内部環境活性調節能力が低下する）治療に有益でないか、或いは凝血、痙攣などの副作用が起こることがある。しかし、本発明の複数の押鍼の高効率自然電気化学電流直接連動の電気化学機能を使用すると、一方では実施する複数の押鍼それぞれの有効区域範囲で毛細血管通気性、血液循環量、有機体経穴組織、内部環境活性調節能力が向上されることができ、他方では前記複数の押鍼間の区域範囲でも同時に電気化学作用が起こり、これによりその間の毛細血管通気性、血液循環量、有機体経穴組織、内部環境活性調節能力が相応して向上されるので、局部的または全体的治療に有益であり、治療の効能も大きく向上する。
【００１２】
第三に、本発明は、毎鍼期間の間、電気鍼などの治療に対して、割りと便利な導電性連結を提供する。中華人民共和国医薬産業標準＜ＹＹ０１０５−１９９３押鍼＞の押鍼製品分類の中には、電気鍼押鍼がある。しかし、前記電気鍼押鍼は鍼胴体が割りと長く（一般的には１５ないし３０ｍｍ）の他の形態の突起があるので、割りと時間が長い埋鍼には使用することができず、前記電気鍼押鍼を短時間の電気鍼治療に使用する場合、毫鍼のように使い易くないことから、今までに電気鍼押鍼製品の販売と応用が行われていない。また、埋鍼に使用する一般的な押鍼は、人体に進入する鍼胴体が割りと短く（最長の長さが２ｍｍに過ぎない）鍼を打って電極に連結した後、（長さ２ｍｍの鍼胴体は前記電極により抜け易い）固定させて治療をすることができない。本発明の高効率自然電気化学電流が連動される押鍼鍼灸は、連結用導電性医療用テープを治療区域に固定することができ、前記押鍼鍼灸を固定して他の押鍼に連結及び粘着する導電性医療用テープは、導電性連結面または外部導線連結点がある（前記導電性連結面または外部導線連結点は、その他の治療設備の電線ケーブルを連結するのに使用することができる）。すなわち、本発明は埋鍼期間の間、電気鍼などの医療健康機器の治療及び家庭内の使用普及のために、割りと便利な導電性連結をさらに提供することができる。
【図面の簡単な説明】
【００１３】
【図１】高効率自然電気化学電流が連動される押鍼の構造説明図
【図２】高効率自然電気化学電流が連動される押鍼（複数の鍼）の構造説明図
【図３】位置固定テンプレートから連結用導電性医療用テープを剥離した説明図
【図４】連結用導電性医療用テープでカバー及び粘着した既に埋鍼された複数の押鍼及びその経絡がここに高効率自然電気化学的通経活絡電流を生成すること（同時に押鍼埋鍼期間に臨床電気鍼治療のために割りと便利な導電性連結をさらに提供することができる）に対する説明図
【図５】埋鍼に電気鍼を追加する操作方式（電気鍼治療機器電極でカバー及び粘着した既に埋鍼した複数の押鍼）の説明図
【発明を実施するための形態】
【００１４】
図１は、本発明の高効率自然電気化学電流が連動される押鍼の構造図を示すものであって、押鍼鍼灸１、前記押鍼鍼灸を固定して他の押鍼に連結及び粘着する導電性医療用テープ２、導電性テープ３、粘性ゴム布４、連結用導電性医療用テープ５、導電性粘着連結面または外部導線連結点６、位置固定テンプレート７、位置固定テンプレート対応鍼孔８、テープ剥離用ノッチ９、及び既に押鍼鍼灸が固定され前記押鍼鍼灸を固定して他の押鍼に連結及び粘着させる導電性医療用テープ１０を含む。具体的な実施例において、既に押鍼鍼灸１が固定され前記押鍼鍼灸を固定して他の押鍼に連結及び粘着させる導電性医療用テープ２を位置固定テンプレート７に設け（押鍼鍼灸１の鍼胴体は位置固定テンプレート対応鍼孔８に対応し、 前記押鍼鍼灸を固定して他の押鍼に連結及び粘着させる導電性医療用テープ２のテープ面が位置固定テンプレート７に粘着される）、同時に連結用導電性医療用テープ５（のテープ面）も位置固定テンプレート７に付着して設け、密封包装袋（箱）で密封包装及び滅菌して準備する。
【００１５】
使用するとき、密封包装袋（箱）を開き、位置固定テンプレート７のテープ剥離用ノッチ９で一番目の押鍼鍼灸１が固定され、前記押鍼鍼灸を固定して他の押鍼に連結及び粘着させる導電性医療用テープ２を剥離させ、これを必要な治療部位経穴に付着した後、若干の力で押せば良く、２つ以上の隣接する経穴の治療においては二番目の押鍼鍼灸１が固定され、前記押鍼鍼灸を固定して他の押鍼に連結及び粘着させる導電性医療用テープ２を付着するとき、前記押鍼鍼灸を固定して他の押鍼に連結及び粘着させる導電性医療用テープ２の導電性粘着連結面６を一番目に既に付着した前記押鍼鍼灸を固定して他の押鍼に連結及び粘着させる導電性医療用テープ２（前記押鍼鍼灸を固定して他の押鍼に連結及び粘着させる導電性医療用テープ２の粘性ゴム布４は導電性能のある粘性ゴム布を使用した）の粘性ゴム布４に付着すれば良く（複数の押鍼鍼灸１が固定され、前記押鍼鍼灸を固定して他の押鍼に連結及び粘着させる導電性医療用テープ２の隣接する経穴治療の場合、順番に配列した操作を繰り返すことができる）、２つ以上の割りと遠距離に在る（つまり、２本または２本以上の押鍼鍼灸１が固定され、前記押鍼鍼灸を固定して他の押鍼に連結及び粘着する導電性医療用テープ２が距離に因って相互間の連結粘着にならない場合）経穴治療の場合、（図４に示す）連結用導電性医療用テープ５を用いて前記複数の既に付着及び固定した押鍼鍼灸１の前記押鍼鍼灸を固定して他の押鍼に連結粘着する導電性医療用テープの上面にカバー及び連結粘着すれば良く（前記押鍼鍼灸を固定して他の押鍼に連結及び粘着する導電性医療用テープ２の粘性ゴム布４は導電性能のある粘性ゴム布を使用した）、また導電性能がないか、或いは絶縁性能のある粘性ゴム布への前記押鍼鍼灸を固定して他の押鍼に連結及び粘着する導電性医療用テープ２は、外部導線連結点６を作製して２つまたは２つ以上の割りと遠い距離（つまり、２本または２本以上の前記押鍼鍼灸１が固定され、前記押鍼鍼灸を固定して他の押鍼に連結及び粘着する導電性医療用テープ２は、距離に因って相互連結及び粘着が難しい）経穴高効率自然電気化学電流が連動される治療に使用することができる。また、連結用導電性医療用テープ５（または外部導線連結点６）を利用して 必要な電気鍼などの医療健康機器治療電極を前記押鍼鍼灸１を固定し、前記押鍼鍼灸を固定して他の押鍼に連結及び粘着する連結用導電性医療用テープ２（または外部導線連結点６に連結）に連結粘着して（導電性能のある粘性ゴム布を使用する）治療に使用することができる（図５に示す）。
【符号の説明】
【００１６】
１：押鍼鍼灸
２：前記押鍼鍼灸を固定して他の押鍼に連結及び粘着する導電性医療用テープ
３：導電性テープ
４：粘性ゴム布
５：連結用導電性医療用テープ
６：導電性粘着連結面または外部導線連結点
７：位置固定テンプレート
８：位置固定テンプレート対応鍼孔
９：テープ剥離用ノッチ  
１０：既に押鍼鍼灸が固定され、前記押鍼鍼灸を固定して他の押鍼に連結及び粘着させる導電性医療用テープ
【図１】
0006759251.tif 000002
【図２】
0006759251.tif 000003
【図３】
0006759251.tif 000004
【図４】
0006759251.tif 000005
【図５】
0006759251.tif 000006